(57)【要約】  本発明は、インタラクティブなスクリーンの表面を操作するためのポインターデバイスに関し、指上に配置するための閉リング（１０）またはリング形状のセグメントを含み、ここで、リングまたはリング形状のセグメントは、引き出し可能なポインターデバイス（１１、２１、６８）を含み、ポインターデバイスは、タッチ感応性スクリーンと相互作用するように構成され、引き出し可能なポインターデバイスは、インタラクティブなスクリーンとのインターフェイスとして機能する端面を有し、端面は、２５ｍｍ２未満である。
2016504697.tif 000002
【特許請求の範囲】
【請求項１】
インタラクティブなスクリーンの表面を操作するためのポインターデバイスであって、
指上に配置するための閉リングまたはリング形状のセグメントを含み、ここで、リングまたはリング形状のセグメントは、引き出し可能なポインターデバイスを含み、ポインターデバイスは、タッチ感応性スクリーンと相互作用するように構成され、引き出し可能なポインターデバイスは、インタラクティブなスクリーンとのインターフェイスとして機能する端面を有する、前記デバイス。
【請求項２】
引き出し可能なポインターデバイスが、インタラクティブなスクリーンとのインターフェイスとして機能する端面を有し、端面が、２５ｍｍ２以下である、請求項１に記載のデバイス。
【請求項３】
ポインターデバイスが、その間に空洞（３４）を画定する外側リング（３２）および内側リング（２３）を含む、請求項１または２に記載のデバイス。
【請求項４】
ポインターデバイスが、空洞（３４）を画定する外側リング（３２）および内側リング（２３）を含み、空洞には内側スプールリング（４５）が提供され、内側スプールリングは、内側（２３）および外側リング（３２）に対して移動可能に構成され、スプールリング（４５）は、さらにポインター要素に接続されるワイヤ／コードを受け入れるように構成される、請求項１または２に記載のデバイス。
【請求項５】
ポインターデバイスが、リングの肩部（６６）に隣接して配置されるリングエクステンション（６７）を備えたリング（１０）を含み、リングエクステンション（６７）は、リング（１０）に一体化され、リングエクステンション（６７）は、リング（１０）と同軸または略同軸に走る縦長の溝（６４）を含み、リングエクステンション（６７）の第一の端部（６５）には、リングエクステンション（６７）における穴が提供され、この穴を通して、タッチ感応性スクリーンのためのポインターツールとして使用するように構成されたワイヤ／コードが配置される、請求項１または２に記載のポインターデバイス。
【請求項６】
ワイヤ／コード（６８）が、リングエクステンション（６７）における穴の内および外に引き込みまたは引き出し可能であり、ワイヤ／コード（６８）の一端はリングエクステンション（６７）に取付けられ、ボタン（６９）が配置され、ボタン（６９）は、ワイヤ／コード（６８）をリングエクステンション（６７）の内および外に引っ張ることが可能なように、リングエクステンション（６７）の溝（６４）にスライド可能に配置される、請求項５に記載のポインターデバイス。
【発明の詳細な説明】
【技術分野】
【０００１】
本発明は、インタラクティブなスクリーン表面の操作のためのポインターデバイスに関する。
【背景技術】
【０００２】
今日、多様なスクリーンおよびインタラクティブな表面が、指の先端の使用に加えて、非アクティブまたはアクティブな電子ペンによって操作されている。インタラクティブなスクリーンおよび表面とは、携帯電話、ナビゲーション、看板、認証および制御システム、タブレットPC、タブレット、インタラクティブなボード、書き込みおよび描画タブレットなどである。
ペンはなくなることがあり、これらを探したり、または、これらを決まった場所にあるホルダから取り外したりするのに時間が掛る。
【０００３】
ペンの使用を要求する技術においては、ペンを収納するための場所が求められる。インタラクティブな製品は、ペンのためのプレースホルダと共にデザインされ、代替的に、ペンは外部のプレースホルダに保持され、または取り外される。ペンはなくなることがあり、これらを探したり、または、これらを決まった場所にあるホルダから取り外したりするのに時間が掛る。
【０００４】
インタラクティブなスクリーン表面を備えたスマートフォン、タブレットまたは同様のものなどのデバイスは、アクティブアイコンおよびアクティブ仮想ボタンが備えられており、ユーザーインターフェイスの開発者に対する制限は、ユーザーのインタラクティブなスクリーン上の小さなアイコンまたは仮想ボタンを“ヒット”する能力の不足にある。アイコンおよびコネクション上の指の先端の使用は、正確さ／ヒットと関連する不確実を有する。このことは同様に、テキストおよびテーブルにおいて適切な挿入ポイントに至ることが重要な状況とも関連する。ユーザーインターフェイスの開発者は、インタラクティブなスクリーンとの相互作用において優れた正確性を与えるツールによって、アイコンまたは同様のものをお互いにより近くに纏めることができるので、ユーザーにより広範でより魅力的なものを提供するであろう。優れた正確性は、が、今日では不可能であるような、小さなインタラクティブなスクリーン上における描画ツールなどの高度なツールを使用する可能性を提供する。
【発明の概要】
【発明が解決しようとする課題】
【０００５】
本発明の目的は、上記の問題を解決するデバイスを提供することにある。
本発明によるデバイスは、ソフトウェアの製作者に対して、表面上のデータおよび情報のための増加されたスペースを提供し、プレースホルダまたはペンのための場所の必要性がなくなる。消費者にとっては、書き込みまたは操作可能な表面の掃除の必要性が減らされる。ユーザーにとっては、指の先端での不正確なナビゲーションゆえの時間ロスが減らされる。本発明によるポインターデバイスは、取り外しペンより操作が早いという点で時間の節約になり、頻繁になくなることがある取り外しペンの問題が減らされるという点でコスト節減になる。
【０００６】
複数のインタラクティブなユニットはまた、複数のツールを要求する。本発明によるポインターデバイスは、機能ユニットとして統合された技術および複数のツールである。
本発明によるポインターデバイスと比較して、インタラクティブな表面上に指の先端で書き込むときには、比較的に正確性が低い。高い正確性を備えた小さな表面を生産することは、技術的に可能であるが、ペンの先端（tip）と比較して、指の先端は比較的大きな領域および低い正確性を有する。本発明によるポインターデバイスは、正確性を提供する。
【０００７】
インタラクティブなシステム上で指の先端を使用することは、不衛生であると見なされ得る。衛生状態は、学校、幼稚園および企業でインタラクティブなボードを使用することにおいて、大切な要素となり得る。衛生状態はまた、民間セクターおよび例えば病院などの公共施設における入場制御および操作可能なシステムにおいて、大切な要素である。
本発明によるポインターデバイスは、高度な正確性を備えた、素早くアクセスできるツールであり、ユーザーが所望の機能の素早い起動を保証する。本発明によるポインターデバイスは、書き込みおよびナビゲーション時の的確なポイントの挿入を保証する。増加された正確性によって、より多くのオブジェクトを表面上に配置し、ナビゲーション時の良好な利用を可能にする。
【０００８】
本発明の１つの態様は、インタラクティブなスクリーン表面の操作のためのポインターデバイスであって、指にはめて配置するための閉リングまたはリング形状のセグメント（segment）を含み、リングまたはリング形状のセグメントは、引き出し可能なポインターデバイスを含み、ポインターデバイスは、タッチ感応性スクリーンと相互作用するように構成され、引き出し可能なポインターデバイスは、インタラクティブなスクリーンとのインターフェイスとして機能する端面を有し、本発明の１つの態様による端面は、２５ｍｍ２以下である。
ポインターデバイスの１つの態様において、ポインターデバイスは、その間に空隙を画定する外側リングおよび内側リングを含む。
【０００９】
ポインターデバイスの第２の態様において、ポインターデバイスは、空隙を画定する外側リングおよび内側リングを含み、空隙には内側スプール（spool）リングが提供され、ここで内側スプールリングは、内側および外側リングに対して移動可能に構成され、スプールリングはさらに、ポインター要素に接続されるワイヤ／コードを受け入れるように構成される。
ポインターデバイスのさらなる態様において、ポインターデバイスは、リングの肩部に隣接して配置されるリングエクステンション（extension）を備えたリングを含み、リングエクステンションは、リングに組み込まれ、リングエクステンションは、リングと同軸または略同軸に走る縦長の溝を含み、リングエクステンションの第一の端部には、リングエクステンションにおける穴が提供され、この穴を通して、タッチ感応性スクリーンのためのポインターツールとして使用するように構成されるワイヤ／コードが配置される。ワイヤ／コードは、リングエクステンションにおける穴に引き込み（retract）および引き出し可能であり、ワイヤ／コードの一端はリングエクステンションに連結され、ボタンが配置され、ボタンは、ワイヤ／コードがリングエクステンションの内および外に引き込みまたは引き出し可能なように、リングエクステンションの溝にスライド可能に配置される。
本発明のさらなる特徴は、従属請求項から明らかになるであろう。
【図面の簡単な説明】
【００１０】
本発明の理解を促進するために、以下の詳細な説明において添付の図面を参照し、
【図１】図１は、本発明の一態様によるポインターデバイスの概略図を示す。
【図２】図２は、本発明の第２の態様によるリングにおけるポインターデバイスの一態様を示す。
【図３】図３は、図２に示されたリングにおけるポインターデバイスの切断面を示す。
【図４】図４は、本発明の第３の態様によるポインターデバイスのためのリングの断面を示す。
【図５】図５は、図４におけるリングのもう１つの角度から見た断面を示す。
【図６】図６は、本発明の第４の態様によるリングにおけるポインターデバイスの一態様を示す。
【００１１】
【図７】図７は、もう１つのアングルから見た図６のリングを示す。
【図８】図８は、図６のリングの断面を示す。
【図９】図９は、図６のリングの断面を示す。
【図１０】図１０は、もう１つの角度から見た図６のリングを示す。
【図１１】図１１は、本発明の第５の態様によるリングにおけるポインターデバイスの態様を示す。
【図１２】図１２は、図１１におけるリングのもう１つのワイヤを示す。
【図１３】図１３は、本発明の第６の態様によるリングにおけるポインターデバイスの態様を示す。
【図１４】図１４は、図１２におけるリングの別の視点を示す。
【発明を実施するための形態】
【００１２】
ここで、図面を参照して本発明を詳細に説明する。以下は、リング内またはリング上に配置されたポインターデバイスの概要である。
本発明によるポインターデバイスは、操作可能であり、インタラクティブなスクリーンおよび表面のための操作および書き込みツールである。ペンの先端が、指にはめられたリングに取り付けられる技術である。本発明によるポインターデバイスは、指の先端の資質を、書き込みおよび操作可能なツールとして洗練させ、アクティブおよび非アクティブなペンのための全体的なニーズを維持する。
【００１３】
以下の説明はペンであり、ペン、ペンの先端およびポインター要素、はすべて、本発明によるポインターデバイスの、タッチ感応性スクリーン／表面と相互作用するように適合した部分、を記述するものとして使用される。ポインターデバイスは、ポインター要素自体と、それが付属するリングとの組み合わせを意味する。
図１ａ〜ｃは、本発明によるポインターデバイスの例を示す。図１ａは、調節可能な引き出されたポインター要素１１を備えた、指１５に取付けられたリング１０である。図１ｂおよびｃは、リング１０の中に引き込まれたポインター要素１１を備えた同じリングである。
本発明によるポインターデバイスは、多機能であり、素早くアクセスでき、正確であり、精確であり、衛生的であり、時間およびコスト節減ができる。ユーザーの２Ｄおよび３Ｄシステムにおける電子的操作および書き込みツールの全体的なニーズは、本発明による指上のポインターデバイスによってカバーされる。
【００１４】
本発明によるポインターデバイスは、休止（hibernation）モードおよびユーザーモードを有する。ユーザーモードにおいて、ペンの先端、ポインター要素１１は、書き込みおよび操作のために人差し指および親指の間に保持される。ペンの先端の他の端部は、リング１０に取り付けられる。休止モードにおいて、本発明によるポインターデバイスは、指１５上のリングの形状および機能を有する。
休止モードにおいてポインターデバイスを指上にリングとして有する目的は、ユーザーが求める機能にユーザーが素早くアクセスすることを保証することにあり、ユーザーモードにおける本発明によるポインターデバイスはそれを構成する。１回の連続的で自然な指の動きで、休止モードからユーザーモードへ機能を変更することができる。本発明によるポインターデバイスが、人差し指上に置かれ、親指がペン要素へ向けて押される場合、ペン要素が取り付けられたリングの上層を回転させる。その後、ペン要素は回され、ペンの先端は、それが人差し指と親指との間に位置するまで、連続的な前への移動において引っ張られる。
【００１５】
ペンの先端を指の間に保持することを求めない、操作可能な作業のために、例えば、ＮＦＣ（近距離無線通信）が、ペン要素の回転だけで休止モードからユーザーモードに変更される、本発明によるポインターデバイスであり得る。本発明によるポインターデバイスは、それが人差し指の第２または第３関節もしくは親指の第２関節に置かれるため、休止モードにおいて快適であり手の自然な一部である。関節は手に最も近い。
本発明によるポインターデバイスは、手に最も近い指の関節に取り付けられる２層のリングを備えた完全な解決策であり、解決策は、インタラクティブなスクリーンおよびシステムとのアクティブおよびパッシブな通信をカバーするペンに変換される。
【００１６】
変換のための代替的な方法として、ペン要素がリングに取付けられ、折り畳まれ、回され、ねじられ、または押され得ることが考えられる。リング部分は、お互いの周りを非段階的に回転する２つの層−２つのリングを含み得る。内側のリングは、皮膚に向けて静止する。外側の移動可能な部分は、移動可能なペン要素のための係留部材（anchoring）として機能する。
図２および図３は、本発明によるポインターデバイスの第２の態様を示す。本発明の第２の態様は、リング２０に取り付けられるように構成された、ポインターの先端（ポインター要素）２１を備えたリング２０を含む。ポインター要素２１は、リング２０内に閉じ込める（trap）ことが可能なように設計される。ポインター要素は、図２または３に示されていないワイヤ／コードが提供される。このワイヤ／コードは、ポインター要素２１をリング２０から引き出すことを可能にし、同時に、リング２０に機械的に接続される。図３は、リング２０が内側３３および外側リング３２を含むことを示す。内側リングは、一態様において、外側リングに対して移動可能である。内側３３および外側リング３２の間には、上記のワイヤ／コードを受け入れるのに好適な空洞３４が提供される。
【００１７】
図４および５は、本発明によるポインターデバイスの第３の態様を示す。本発明の第３の態様は、内側リング４３、外側リング４２、ならびに内側リング４３および外側リング４２の間に形成される空洞内に配置されるフリーランニング（free running）リング４５を含む、リング４０を含む。フリーランニングリング４５は、ポインターデバイスに対するワイヤ／コードのためのスプールを形成する。ポインターデバイス自体は図４および５に示されないが、例えば、図２に示された第２の態様で提案されたように設計することが可能である。
【００１８】
図６−１０は、本発明によるポインターデバイスの第４の態様を示す。本発明の第４の態様は、リングの肩部６６に隣接して配置されるリングエクステンション６７を備えたリング６０を含む。リングエクステンション６７は、リング６０に一体化されている。リングエクステンション６７は、リング６０と同軸または略同軸に走る縦長の溝６５を含む。リングエクステンション６７の第一の端部６５には、リングエクステンション６７における穴が提供され、この穴を通して、タッチ感応性スクリーンのためのポインターツールとして使用するように構成されるワイヤ／コード６８が配置される。ワイヤ／コード６８は、リングエクステンション６７における穴の内および外に引き込みまたは引き出し可能である。ワイヤ／コード６８の一端はリングエクステンション６７に取付けられ、ボタン６９が提供され、ボタン６９は、図８および９を参照して、リングエクステンション６７の溝にスライド可能に配置される。図８および９は、リング６０の断面を示す。図１０は、リング６０と同軸に延伸する仮想軸に平行な方向から見たリングを示す。
【００１９】
図１１および１２は、本発明によるポインティングデバイスの第５の態様を示す。図は、１または２以上の外側リングセグメント１１０が、内側リングセグメント１１９の溝との関わりで移動可能な原理を示し、ここでは内側リングセグメント１１９は、指にフィットするように構成され、ここでは内側リングセグメント１１９は、１または２以上の外側セグメント１１０のそれよりも長いアーク長を有する。ポインティングデバイスの先端およびそのアームは、外側リングセグメント１１０（複数）の１つ、または、外側リングセグメント１１０に固定される。図１１および１２に示されるように、突出部分１１１は、外側リングセグメント１１０から突出する。突出部分１１１は、ポインティングデバイスの先端を含み、先端は、インタラクティブなディスプレイと相互作用するように構成される。
【００２０】
第５の態様によるポインティングデバイスのユーザーは、１または２以上の外側リングセグメント１１０を、ポインティングデバイスが使用されていないときに快適である上部から、突出部分１１１が移送指の左または右側面上にある左右位置まで単純に回転させる。図１１において、突出部は、指の左側面上に示される。上部は、ポインティングデバイスを移送する指の上部であり、側面位置は、指／リングの上部からスタートする内側リングセグメント１１９によって画定される曲率に沿う、任意の方向の約９０°にある。ポインティングの先端は、突出部分１１１から、図６においてワイヤ／先端６８のために表示されるような同じ方法でアクティベートされる。ワイヤ／先端６８は、指の先端に取付けられるか、または、ワイヤ自体が、ディスプレイスクリーンとの相互作用において使用されるのに十分硬くでもよい。代替的に、ワイヤの先端は、それが例えば２つの指の間の鉛筆のように、すなわち、２つの隣接する指間の圧力下よくフィットするように設計されてもよい。
【００２１】
図１３および１４は、本発明によるポインティングデバイスの第６の態様を示す。図は、縦長のネイル形状部分１３１をインタラクティブなディスプレイと共に相互作用して使用するためのポインティングの先端として使用されるように設計される原理を示す。ネイル形状部分１３１は、ホルスター（holster）１３２の中へフィットするように構成される。ネイル形状部分１３１は、弾性体１３５によって、指の先端に固定されてもよい。図１４において、弾性体１３５は、使用していないときは、ネイル形状部分１３１の溝内にあるように構成される。使用時に、弾性体は溝の部分から取り外され、弾性体の取り外された部分は、指の先端の周りにフィットするループ（loop）を形成する。弾性体１３５はまた、ループのサイズが指にフィットするように構成されるか、または、非弾性体バンドおよびネイル形状部分１３１の間のアタッチメント（attachment）が弾性体であるか、または、バンドがばね式であるように提供されるのであれば、非弾性体バンドであってもよい。
ホルスター１３２は、リング１３９に取り付けられる。リング１３９へのアタッチメントは、ホルスター１３２が、一つ以上の外側リングセグメントに固定されるように、第５実施例において示されたような可動式結合であってもよい。
【００２２】
図１４から明らかなように、ネイル形状部分１３１は、固定手段１３３によってホルスターにアンカリング／固定される。固定手段は、任意のラバーバンド／弾性体、ワイヤまたはケーブルであってもよい。固定手段が非弾性体タイプである場合、ばねアクティベート式スプーリング機構は、ネイル形状部分１３１がホルスター１３２内にあるときに、固定手段１３３を収容できるようにホルスター内に配置される。
第６の態様は、図２−５で参照される第２の態様と組み合わせてもよい。第２の態様の先端２１は、第６の態様で表示されるような弾性体を含んでもよい。弾性体は、使用していないとき、先端２１の背面／非可視部分上に隠されるか、または、本発明の第２の態様において表示されるワイヤを置き換えてもよい。
【図１】
2016504697.tif 000003
【図２】
2016504697.tif 000004
【図３】
2016504697.tif 000005
【図４】
2016504697.tif 000006
【図５】
2016504697.tif 000007
【図６】
2016504697.tif 000008
【図７】
2016504697.tif 000009
【図８】
2016504697.tif 000010
【図９】
2016504697.tif 000011
【図１０】
2016504697.tif 000012
【図１１】
2016504697.tif 000013
【図１２】
2016504697.tif 000014
【図１３】
2016504697.tif 000015
【図１４】
2016504697.tif 000016
【国際調査報告】
2016504697.tif 000017
2016504697.tif 000018